(57)【要約】【課題】  ディスプレイ装置のＬＥＤ光源の交換を容易になし得るようにする。【解決手段】  パネル支持基板３、反射シート２、導光パネル１及び光拡散シート６を積層し、導光パネル１の入射端面に断面Ｌ字状にして起立片４１にＬＥＤユニット５を接着した着脱枠４を配置し且つ光拡散シート６の表面に透明樹脂カバー７を積層して、これらの外周を囲繞するように額縁８を配置し、額縁８の裏面側被覆片８３からのネジ９を導光パネル１のナット１１に螺入することによって、ディスプレイ装置Ａとする。ネジ９を外し、入射端面側の額縁８を離脱すれば、着脱枠４を取り外せるから、ＬＥＤチップの球切れ等に際して、ＬＥＤユニット５の交換を簡易且つ確実に行なうことができる。【選択図】  図１
2010256813.tif 000002
【特許請求の範囲】
【請求項１】
導光パネルと、該導光パネルの入射端面に臨設したＬＥＤ光源を備えたディスプレイ装置であって、上記ＬＥＤ光源を、該導光パネルに対して着脱自在にして下面を放熱板兼用の固定片とした断面Ｌ字状乃至コ字状の着脱枠に設置してなることを特徴とするディスプレイ装置。
【請求項２】
上記着脱枠の下面に重合し且つ該着脱枠と分離自在の額縁を備えてなることを特徴とする請求項１に記載のディスプレイ装置。
【請求項３】
上記着脱枠を、断面コ字状として額縁兼用としてなることを特徴とする請求項１に記載のディスプレイ装置。
【発明の詳細な説明】
【技術分野】
【０００１】
本発明は、陽画フィルムを背面照明するに用いるディスプレイ装置に関する。
【背景技術】
【０００２】
この種のディスプレイ装置として、本発明者は、例えば、導光パネルと、該導光パネルの入射端面に臨設したＬＥＤ光源を備えたディスプレイ装置を提案済みであり、このときＬＥＤ光源は、高輝度ＬＥＤチップを多数並列したＬＥＤユニットを用い、このＬＥＤユニットを、該導光パネルを収納した収納ケースの、例えば底板から起立した対向起立片の内面に接着固定することによって、導光パネルの対向一対の入射端面に近接配置して、その臨設を行なってあり、また、該収納ケースの底面に反射シートを配置する一方、収納ケースの正面側には、例えば、該収納ケースを被嵌するように、光拡散ケースを配置したものとして、壁掛け用、屋上広告用等の大判のものを含むディスプレイ装置として使用するものとされる。
【先行技術文献】
【特許文献】
【０００３】
【特許文献１】特開平２００９−４７９１６号公報
【発明の概要】
【発明が解決しようとする課題】
【０００４】
この場合、例えば、駅舎の壁面添設乃至自立フレーム設置の時刻表表示用や、地下道の同じく壁面添設の広告表示用等に好適なディスプレイ装置として、比較的薄肉にして高輝度の背面照明を行なうことが可能となる。
【０００５】
しかし乍ら、ＬＥＤ光源は長寿命であり、耐久性に富むものとされるが、例えば長期使用によって球切れ等の可能性もあり、この場合を含めてＬＥＤ光源に起因するトラブルが発生したとき、そのメンテナンス作業が煩雑化するという問題点が残されている。
【０００６】
即ち、ＬＥＤ光源は、上記導光パネルを収納した収納ケースの起立片に接着固定し、導光パネルの入射端面に臨設してあるから、導光パネルとの間隔、一般には数ｍｍの間隔を利用して、既存のＬＥＤ光源を撤去して、新規なＬＥＤ光源を固定するのは事実上不可能であるか、著しく煩雑であるから、結局、この場合、その設置現場において、導光パネルの取り外しを含めたディスプレイ装置の同様に煩雑な分解作業を伴うことにならざるを得ず、従って、特にＬＥＤ光源のトラブルに起因する、このようなメンテナンス作業の煩雑性を解消するものとする必要が生じる。
【０００７】
本発明はかかる事情に鑑みてなされたもので、その解決課題とするところは、上記ＬＥＤ光源のトラブルに起因するメンテナンス作業を可及的容易且つ確実になし得るようにしたディスプレイ装置を提供するにある。
【課題を解決するための手段】
【０００８】
上記課題に沿って本発明は、上記起立片に対するＬＥＤ光源の固定による入射端面に対する臨設を行なう収納ケースを用いることなく、ＬＥＤ光源を断面Ｌ字状乃至断面コ字状にして下面を放熱板兼用の固定片とした着脱枠の起立片に固定することによって、導光パネルに対して着脱枠を着脱自在とするとともに該着脱枠にＬＥＤ光源を固定することによって、該着脱枠を導光パネルから取り外して、そのメンテナンス作業をなし得るようにしたものであって、即ち、請求項１に記載の発明を、導光パネルと、該導光パネルの入射端面に臨設したＬＥＤ光源を備えたディスプレイ装置であって、上記ＬＥＤ光源を、該導光パネルに対して着脱自在にして下面を放熱板兼用の固定片とした断面Ｌ字状乃至コ字状の着脱枠に設置してなることを特徴とするディスプレイ装置としたものである。
【０００９】
請求項２に記載の発明は、上記に加えて、導光パネルの端部及び上記着脱枠乃至そのＬＥＤ光源を正面側で被覆する、上記着脱枠と分離自在の額縁を配置して、該額縁ディスプレイ装置の良好な外観とメンテナンス作業の容易性を確保したものとするように、これを、上記着脱枠の下面に重合し且つ該着脱枠と分離自在の額縁を備えてなることを特徴とする請求項１に記載のディスプレイ装置としたものである。
【００１０】
請求項３に記載の発明は、同じく上記に加えて、上記着脱枠を断面コ字状として、ディスプレイ装置の額縁を兼用するようにして、可及的少数の部材で良好な外観を確保したものとするように、これを、上記着脱枠を、断面コ字状として額縁兼用としてなることを特徴とする請求項１に記載のディスプレイ装置としたものである。
【００１１】
本発明はこれらをそれぞれ発明の要旨として、上記課題解決の手段としたものである。
【発明の効果】
【００１２】
本発明は以上のとおりに構成したから、請求項１に記載の発明は、ＬＥＤ光源を断面Ｌ字状乃至断面コ字状にして下面を放熱板兼用の固定片とした着脱枠の起立片に固定することによって、導光パネルに対して着脱枠を着脱自在とするとともに該着脱枠にＬＥＤ光源を固定することによって、該着脱枠を導光パネルから取り外して、そのメンテナンス作業をなし得るものとして、上記ＬＥＤ光源のトラブルに起因するメンテナンス作業を可及的容易且つ確実になし得るようにしたディスプレイ装置を提供することができる。
【００１３】
請求項２に記載の発明は、上記に加えて、導光パネルの端部及び上記着脱枠乃至そのＬＥＤ光源を正面側で被覆する、上記着脱枠と分離自在の額縁を配置して、該額縁ディスプレイ装置の良好な外観とメンテナンス作業の容易性を確保したものとすることができる。
【００１４】
請求項３に記載の発明は、同じく上記に加えて、上記着脱枠を断面コ字状として、ディスプレイ装置の額縁を兼用するようにして、可及的少数の部材で良好な外観を確保したものとすることができる。
【図面の簡単な説明】
【００１５】
【図１】ディスプレイ装置の横断面図である。
【図２】ディスプレイ装置の縦断面図である。
【図３】他の例にかかるディスプレイ装置の横断面図である。
【図４】更に他の例に係るディスプレイ装置の横断面図である。
【発明を実施するための形態】
【００１６】
以下図面の例に従って本発明を更に具体的に説明すれば、図１及び図２において、Ａはディスプレイ装置であり、該ディスプレイ装置Ａは、導光パネル１と、該導光パネル１の入射端面に臨設したＬＥＤ光源５を備えたものとしてあり、このとき上記ＬＥＤ光源５は、これを、該導光パネル１に対して着脱自在にして下面を放熱板兼用の固定片４２とした断面Ｌ字状乃至コ字状の着脱枠４に設置したものとしてあり、本例にあって該ディスプレイ装置Ａは、該着脱枠４の下面に重合し且つ該着脱枠４と分離自在の額縁８を備えたものとしてある。
【００１７】
即ち、本例のディスプレイ装置Ａは、例えば、Ａ２サイズから１辺の長さ又は幅を１〜２ｍ乃至それ以上とした矩形乃至方形にして広告用乃至装飾用に屋外の建物壁面や屋外設置の掲示板等に掲出使用する壁付用大版の電飾用のものとして、上記導光パネル１、該導光パネル１の裏面に配置した反射シート２、該反射シート２の裏面にディスプレイ装置Ａの基板をなすように配置したパネル支持基板３、該パネル支持基板３の裏面に固定片４２を重合するように配置した、本例にあって断面Ｌ字状とした着脱枠４、上記導光パネル１の正面に積層配置した光拡散シート６、該光拡散シート６の正面側に着脱自在に配置した透明樹脂カバー７、上記着脱枠４の固定片４２と該透明樹脂カバー７の外周を囲繞状に覆うように配置して、導光パネル１に至るようにネジ９によって固定した、本例にあって断面コ字状の額縁８を備えたものとしてある。
【００１８】
上記導光パネル１は、これを、例えばアクリル樹脂等の透明板の背面に密度変化した導光パタンを配置したパネルにして、該導光パタンの密度変化を幅方向中央位置をピークとするように幅方向両端から増変化して、幅方向両端に配置した入射端面に臨設したＬＥＤ光源５からの入射光によって照明輝度の均一性を可及的高度に確保して、導光パネル１前面の光拡散シート６を介して配置した、図示省略の陽画フィルムをその背面から照明して、該陽画フィルムの電飾照明を行なうものとしてあり、このとき該導光パネル１は、その外周端部に、上記ネジ９を螺入するナット１１、本例にあってはコイルを用いたネジインサート（商標名ヘリサート）を挿入配置してあり、該ナット１１の挿入によって、アクリル樹脂等の透明板を用いた導光パネル１に対して強固なネジ９の螺着をなし得るようにしてある。
【００１９】
反射シート２は、導光パネル１と同面積にして、該導光パネル１の導光ロスを可及的に防止するように高反射性フィルム、例えば、白色の発泡ポリエステルシートを用いて導光パネル１裏面を被覆し且つ導光パネル１と同位置に上記ネジ９の透孔を透設したものとしてあり、パネル支持基板３は、導光パネル１と同面積にして該導光パネル１の背面に重合して該導光パネル１を支持し、必要に応じて反射シート２の外周端部を正面側に接着固定し、上記ネジ９の透孔を透設した樹脂乃至金属製、本例にあっては着脱枠４の固定片４２の放熱をより有効とするように、例えばアルミ製のものとしてある。
【００２０】
着脱枠４は、ＬＥＤ光源５の入射端面に対向する起立片４１と、該起立片４１を導光パネル１の裏面に向けて折曲した上記放熱板兼用の固定片４２とを備えた、例えば、熱伝導率の比較的高い金属製にして導光パネル１の入射端面と同長の長さを有し且つ固定片４２に上記ネジ９の透孔を透設したものとしてあり、このとき該着脱枠４の起立片４１は、導光パネル１の肉厚より幾分高い、例えば１ｃｍ強の高さを有し、固定片４２は、ＬＥＤ光源５の放熱を良好になし得るように、７、８ｃｍ以上、例えば１０ｃｍ乃至２０ｃｍ程度の幅を有するものとしてある。
【００２１】
ＬＥＤ光源５は、多数の高輝度ＬＥＤチップを可及的小ピッチでベースに埋込配置したＬＥＤユニットを用いて、該ＬＥＤユニットのベースを、上記着脱枠４の起立片４１に、例えば放熱性の両面テープ乃至接着剤によって接着することによって、該起立片４１の略全長に亘るように設置して、導光パネル１の入射端面の長手方向全長にＬＥＤチップの入射光を供給するようにしてある。
【００２２】
光拡散シート６は、導光パネル１と同面積のプリズムレンズ乃至表面を粗面化した半透明樹脂シート等を用い、必要に応じてその外周端部を導光パネル１の正面側に接着固定して導光パネル１に一体化したものとしてある。
【００２３】
透明樹脂カバー７は、同じく導光パネル１と同面積の、ポリカーボネート、アクリル等の透明パネルを用いて、その裏面に配置する陽画フィルムの交換を可能とするように、後述の額縁に対してケンドン状に取外し可能又は任意の額縁８を取り外した状態でディスプレイ装置Ａからスライド引抜き可能に配置し、正面にあってディスプレイ装置Ａ乃至その陽画フィルムの保護を行なうものとしてある。
【００２４】
額縁８は、起立片８１と、その幅方向両端から導光パネル１側に向けて折曲した表面側及び裏面側被覆片８２、８３を備えて断面コ字状とした、導光パネル１の入射端面側端部を被覆する縦用の２本と、該入射端面に交差する端面を被覆する横用の２本を備え、それぞれ長手方向端部を留め切りするか、一方、例えば横用の２本の長さを縦用の幅分短寸化して、導光パネル１に配置した状態で相互に端部を対接するようにし且つ裏面側被覆片８３に同様に上記ネジ９の透孔を透設した合成樹脂又は金属製のものとしてあり、このとき、本例の額縁８は、その起立片８１の高さを上記着脱枠４の起立片の高さに、上記透明樹脂カバー７の厚さを加えた寸法に応じて１．５ｃｍ程度とし、また、表面側及び裏面側被覆片８２、８３は、その幅を数ｃｍ以下、例えば２ｃｍ程度としたものとしてある。
【００２５】
このように形成した各部材は、パネル支持基板３、反射シート２、導光パネル１乃至上記光拡散シート６を付した導光パネル１を積層配置するとともに固定片４２をパネル支持基板３に重合するように導光パネル１の入射端面側にそれぞれ着脱枠４を配置することによって、そのＬＥＤ光源５を該入射端面に臨設する一方、導光パネル１乃至その光拡散シート６の表面に透明樹脂カバー７を配置した状態として、表面側及び裏面側被覆片８２、８３によって端部表裏を被嵌するように上記額縁８を配置し、該裏面側被覆片８３の透孔から、着脱枠４の固定片４２、パネル支持基板３、反射シート２を介して、導光パネル１のナット１１にネジ９を螺入し、これらを一体化することによって上記ディスプレイ装置Ａの完成品とするものとしてある。このとき、本例のディスプレイ装置Ａは、該完成品として出荷することができるが、更に該ディスプレイ装置Ａから、透明樹脂カバー７と額縁８を分離して、着脱枠４の固定片４２の透孔からネジ９を上記導光パネル１のナット１１に螺入することによって、該着脱枠４、パネル支持基板３、反射シート２、導光パネル１乃至上記光拡散シート６を一体化して出荷し、設置現場においてこれらを装着して完成品とすることもできる。
【００２６】
図３及び図４は、他の例を示したもので、図３は、導光パネル１を厚肉化して、幅広の入射端面に対してその幅方向にＬＥＤ光源５を並列配置した例であり、本例にあって該導光パネル１は、例えば２ｃｍ弱とし、２列のＬＥＤ光源５をその幅方向に並列配置した例であり、本例において着脱枠４の起立片４１の高さ、固定片４２の幅、額縁８の起立片８１の高さ等の寸法を厚肉化した導光パネル１の厚さに対応するように変更した点を除いて、その余は上記例と変わらないので、同一符号を付して重複する説明を省略する。
【００２７】
図４は、ディスプレイ装置Ａとしての基本構成を上記例と同一とするも、上記着脱枠４を、断面コ字状として額縁兼用とした例を示したもので、本例にあって、ディスプレイ装置Ａは、該額縁兼用の着脱枠４は、これを、起立片４１と、該起立片４１の裏面側端部の上記と同様にネジ９の透孔を透設した固定片４２と、該起立片４１の表面側端部の表面側被覆片４３とを備えるとともに上記額縁８と同様に、入射端面側端部を被覆する縦用の２本と、該入射端面に交差する端面を被覆する横用の２本を備え、同じくそれぞれ長手方向端部を留め切りするか、一方を他方の幅分短寸化して、相互に端部を対接することによって、パネル支持基板３と上記透明樹脂カバー７の外周を囲繞状に覆うように配置して、その固定片４２の透孔から導光パネル１に至るようにネジ９によって固定することによって、これらを一体化してディスプレイ装置Ａとするようにしてある。このとき、本例にあって表面側被覆片４３は、これを短幅とし、固定片４２は、これを長幅とするように、これらを異幅に構成した断面コ字状のものとしてあり、これら額縁兼用の着脱枠４は、その長手方向端部を、上記額縁８におけると同様に留め切りするか、一方を他方の幅分短寸化して相互に対接したものとしてある。同じく、その余は上記例と変らないので、同じく同一符号を付して重複する説明を省略する。
【００２８】
以上の如くに構成したディスプレイ装置Ａは、それぞれネジ９を外し、図１乃至図３の例にあっては、額縁、特に入射端面側の額縁８を取り外して離脱すれば、着脱枠４をディスプレイ装置Ａから一時的に取り外すことができるから、該着脱枠４のＬＥＤ光源５の全部又は一部の交換を行なうことができ、このとき従前のディスプレイ装置のように、煩雑な分解作業なしに、可及的容易且つ確実にそのメンテナンス作業を行なうことができ、また、図４の例にあっては、ネジ９を外せば、額縁兼用の着脱枠４を同じく一時的に取り外すことができるから、同様にそのＬＥＤ光源５の全部又は一部の交換を可及的簡易且つ確実に行なうことができ、更にこれらは、全体を可及的に薄く形成しながら、均一にして高輝度の電飾を行なう使い勝手のよいものとすることができる。
【００２９】
図示した例は以上のとおりとしたが、図４のディスプレイ装置のＬＥＤ光源を、図３の例のように、入射端面に対してその幅方向にＬＥＤ光源を並列配置したものとすること、着脱枠を断面コ字状にして且つこれを覆うように額縁を設置すること、背面にブラケットを設置すること、導光パネルを幅方向に一対配置し、それぞれ片側の入射端面から入射光を供給するように構成すること等を含めて、本発明の実施に加えて、ディスプレイ装置、導光パネル、入射端面、ＬＥＤ光源、着脱枠、必要に応じて用いる額縁、額縁兼用の着脱枠等の各具体的形状、構造、材質、これらの関係、これらに対する付加等は、上記発明の要旨に反しない限り様々な形態のものとすることができる。
【符号の説明】
【００３０】
Ａ  ディスプレイ装置
１  導光パネル
１１  ナット
２  反射シート
３  パネル支持基板
４  着脱枠
４１  起立片
４２  固定片
４３  表面側被覆片
５  ＬＥＤ光源
６  光拡散シート
７  透明樹脂カバー
８  額縁
８１  起立片
８２  表面側被覆片
８３  裏面側被覆片
９  ネジ
【図１】
2010256813.tif 000003
【図２】
2010256813.tif 000004
【図３】
2010256813.tif 000005
【図４】
2010256813.tif 000006